(57)【要約】【課題】上部ケースにスリットを有するパック電池において、衝撃が加わっても外観が変形しにくい薄型のパック電池を提供することを目的とする。【解決手段】スリット３１が開設された収納容器において、複数の二次電池２１が、各二次電池２１の一部をスリット３１から表出させた状態で、縦列に収納されたパック電池であって、スリット３１には、縦列に収納された二次電池２１間のつなぎ目に対応する箇所に、スリット３１を幅方向に横断する桟３２が設けられている。【選択図】図１
2008130524.tif 000002
【特許請求の範囲】
【請求項１】
スリットが開設された収納容器において、複数の素電池が、各素電池の一部を前記スリットから表出させた状態で、縦列に収納されたパック電池であって、
前記スリットには、縦列に収納された素電池間のつなぎ目に対応する箇所に、前記スリットを幅方向に横断する桟が設けられている
ことを特徴とするパック電池。
【請求項２】
前記桟は、板状形状に形成され、前記素電池が表出されている側の表面に切欠が形成されている
ことを特徴とする請求項１記載のパック電池。
【請求項３】
前記切欠は、前記桟の前記スリット横断方向における中央部又はその近傍に形成されている
ことを特徴とする請求項２記載のパック電池。
【請求項４】
前記桟にはさらに、前記スリット横断方向における前記切欠の両側の、前記素電池が表出されている側の表面とは反対側の表面に、前記切欠とは別に、切欠がそれぞれ形成されている
ことを特徴とする請求項３記載のパック電池。
【請求項５】
前記桟には、前記スリット横断方向において、前記素電池が表出されている側と反対側に凸状に屈曲する屈曲部が形成されている
ことを特徴とする請求項1記載のパック電池。
【請求項６】
前記屈曲部の形状が、Ｖ字形状である
ことを特徴とする請求項５記載のパック電池。
【発明の詳細な説明】
【技術分野】
【０００１】
本発明は、薄型収納容器を備えるパック電池に関し、特に、衝撃に起因する収納容器の外観の変形を防止する技術に関する。
【背景技術】
【０００２】
近年、携帯電話、ノートパソコン、ＰＤＡ等の携帯機器用電源としてリチウムイオン電池などの二次電池を収納したパック電池が普及している。
これら携帯機器の軽量化、薄型化が進むに伴い、携帯機器用電源としての
パック電池の薄型化に対するニーズが高まっている。
パック電池を薄型化するための技術として、パック電池の収納容器の一部をスケルトン化する技術が特許文献１及び２に開示されている。
【０００３】
具体的には、上記収納容器の上部ケースに、二次電池の頂部を表出させるためのスリットを複数設け、当該上部ケースを被覆ラベルで被覆したものが開示されている。
これにより、上記収納容器の厚みを薄くし、上記収納容器の薄型化を実現することができる。
【特許文献１】特開平８−２３６０８９号公報
【特許文献２】特開２００３−１０９５５８号公報
【発明の開示】
【発明が解決しようとする課題】
【０００４】
しかしながら、パック電池の収納容器の上部ケースにスリットを設けると、上部ケース自体の強度が弱くなり、パック電池を誤って落下させたりして、衝撃が上部ケースに加わると上部ケースが変形し、パック電池の外観が変形しやすいという問題が生じる。
そこで、本発明は、上記問題点に鑑み、上部ケースにスリットを有するパック電池において、衝撃が加わっても外観が変形しにくい薄型のパック電池を提供することを目的とする。
【課題を解決するための手段】
【０００５】
上記目的を達成するために、本発明は、スリットが開設された収納容器において、複数の素電池が、各素電池の一部を前記スリットから表出させた状態で、縦列に収納されたパック電池であって、前記スリットには、縦列に収納された素電池間のつなぎ目に対応する箇所に、前記スリットを幅方向に横断する桟が設けられている
の構成を備える。
【発明の効果】
【０００６】
上記構成を備えることにより、縦列に収納された素電池のつなぎ目に対応する箇所に設けられた、スリットを幅方向に横断する桟により、スリット周縁部分を変形しにくくすることができ、スリットに起因する収納容器の強度低下を少なくすることができる。
又、前記桟は、素電池のつなぎ目に対応する箇所に設けられているので、素電池のスリットからの表出を桟が妨げることを防止することができる。
【０００７】
従って、パック電池の厚みを薄くしつつ、収納容器の強度の低下を抑えることができる。
ここで、前記桟は、板状形状に形成され、前記素電池が表出されている側の表面に切欠が形成されていることとすることができる。
これにより、桟がスリットの幅方向に強く圧縮された場合に、桟は、素電池が表出される側の表面に設けられた切欠を介して、素電池が表出されている側とは反対側に折れ曲がりやすくなるので、パック電池が衝撃を受けて、スリット幅方向に圧縮された場合においても、桟が衝撃により変形して、収納容器の外部に表出するのを防止することができる。
【０００８】
ここで、前記切欠は、前記桟の前記スリット横断方向における中央部又はその近傍に形成されていることとすることができる。
これにより、スリット幅方向の何れの方向から、パック電池が衝撃を受けた場合においても、均等に桟を、素電池が表出される側とは反対側に折れ曲がりやすくさせて、桟が衝撃により変形して、収納容器の外部に表出するのを防止することができる。
【０００９】
ここで、前記桟にはさらに、前記スリット横断方向における前記切欠の両側の、前記素電池が表出されている側の表面とは反対側の表面に、前記切欠とは別に、切欠がそれぞれ形成されていることとすることができる。
これにより、桟がスリットの幅方向に強く圧縮された場合に、桟は、素電池が表出されている側の表面とは反対側の表面に形成された２つの切欠を介してそれぞれ、素電池が表出されている側とは反対側に折れ曲がり、さらに、両切欠の間に位置する切欠（素電池が表出されている側の表面に設けられた切欠）を介して、素電池が表出されている側とは反対側に折れ曲がるので、パック電池が衝撃を受けて、スリット幅方向に強く圧縮された場合における桟の、素電池が表出されている側とは反対側への折れ曲がりを相乗的に促進させることができ、衝撃時における桟の収納容器からの表出をより確実に防止することができる。
【００１０】
ここで、前記桟には、前記スリット横断方向において、前記素電池が表出されている側と反対側に凸状に屈曲する屈曲部が形成されていることとすることができる。
又、前記屈曲部の形状が、Ｖ字形状であることとすることができる。
これにより、桟がスリットの幅方向に強く圧縮された場合に、桟は、傾斜部を介して、素電池が表出されている側とは反対側に折れ曲がりやすくなるので、パック電池が衝撃を受けて、スリット幅方向に強く圧縮された場合においても、桟が衝撃により変形して、収納容器の外部に表出するのを防止することができる。
【発明を実施するための最良の形態】
【００１１】
（実施の形態）
＜構成＞
図１は、本実施の形態に係るパック電池１００の分解斜視図を示す図である。
パック電池１００は、下部ケース１、二次電池ユニット２、上部ケース３、プリント基板４、被覆ラベル５から構成される。
【００１２】
（下部ケース１）
下部ケース１は、プラスチックで一体的に成型されて形成され、下部ケース１には、二次電池ユニット２、プリント基板４が装着される。
（二次電池ユニット２）
二次電池ユニット２は、複数本の二次電池２１と各二次電池２１の正極及び負極端子を接続するリード板２２とサーミスタなどからなる温度検出器（非図示）などを有する。
【００１３】
（上部ケース３）
上部ケース３は、プラスチックで一体的に成型されて形成され、複数のスリット３１を有し、下部ケース１に縦列に収納された二次電池２１に対応するスリット３１においては、二次電池２１間のつなぎ目に対応する領域に、スリット３１の幅方向にスリット３１を横断する桟３２が設けられている。
【００１４】
この桟３２を設けることにより、スリット３１の周縁部分の変形をしにくくさせることができ、上部ケース３にスリット３１を設けることによる強度低下を少なくすることができる。
図２は、上部ケース３の上面を示す平面図であり、図３は、図２の平面図において、Ａ−Ａ’で示すＡ−Ａ’断面図を示す。
【００１５】
桟３２は、図２に示すように、スリット３１の形成する空間領域における、図２の点線で示す二次電池２１と二次電池２１のつなぎ目に対応する領域に設けられている。
これにより、二次電池２１の頂部がスリット３１を介して表出されるのを、桟３２により妨げるのを防止することができる。
又、桟３２を設けることにより、上部ケース３の強度の低下を抑えることができる。
【００１６】
従って、パック電池１００の厚みを薄くしつつ、上部ケース３の強度の低下を抑制することができる。
図４、図５は、本実施の形態に係るパック電池１００に適用可能な、桟３２の形状のバリエーションの具体例を示す。
図５（Ｂ）は、桟３２の形状が、平板状である場合を示し、この場合は、上部ケース３に対し、側面から強い圧縮力が加わると、図５（Ｂ）の下図に示すように、桟３２が上方向に撓み、上部ケース３を被覆する被覆ラベル５が上方向に押し上げられ、パック電池１００の外観が変形する。
【００１７】
図５（Ａ）は、桟３２の形状が、両端部からスリット３１の幅方向において下方に傾斜し、V字状に折れ曲がった形状である場合を示し、この場合は、上部ケース３に対し、側面から強い圧縮力が加わったとしても、図５（Ａ）の下図に示すように、桟３２がさらに下方に折れ曲がる。
従って、強い圧縮力が加わっても被覆ラベル５は押し上げられることなく、パック電池の外観の変形が防止される。
【００１８】
図５（Ａ）の曲線の矢印で示す、桟３２の折れ曲がり角度は、１８０°よりも小さければよいが、桟３２の補強効果を最適に保つためには、１３５°≦θ＜１８０°の範囲内であることが望ましい。
図４（Ａ）は、桟３２の形状が、その上表面の、スリット３１の幅方向における中央部付近に切欠３３を有する形状である場合を示し、この場合は、側面から強い圧縮力が加わったとしても、図４（Ａ）の下図に示すように、切欠３３を中心にして、桟３２が下方に向かって折れ曲がる。
【００１９】
従って、強い圧縮力が加わっても被覆ラベル５は押し上げられることがないので、パック電池の外観の変形が防止される。
図４（Ｂ）は、桟３２の上表面の切欠３３に加えて、桟３２の下表面にも、スリット３１の幅方向において、切欠３３を挟むように切欠３３の両側に切欠３４を有する形状の場合を示し、この場合は、側面から強い圧縮力が加わったとしても、図４（Ｂ）の下図に示すように、桟３２が、両切欠３４を中心にして下方に折れ曲がり、切欠３３を中心にしてさらに下方に折れ曲がって桟３２が、複合的に下方に折れ曲がる。
【００２０】
従って、強い圧縮力が加わっても被覆ラベル５は押し上げられることがないので、パック電池の外観の変形が防止される。
（プリント基板４）
プリント基板４には、過放電および過充電を防止する保護回路（非図示）と携帯機器と電気的に接続するためのコネクタ４１などが半田付け等により固定されている。
（被覆ラベル５）
熱収縮性の被覆ラベルであり、接着剤を介して上部ケース３に付着されて、上部ケース３が被覆される。
【００２１】
被覆ラベル５の材質としては、例えば、ポリプロピレンフィルム、ポリエステルフィルムなどを用いることができる。
又、接着剤としては、例えば、アクリル系やシリコン系の接着剤などを用いることができる。
なお、被覆ラベル５の代わりに、熱収縮性の樹脂チューブを用いることとしてもよい。
【００２２】
以上、本発明の実施の形態について説明したが、本発明はこの実施の形態に限定されないのは言うまでもない。
（１）例えば、本実施の形態においては、図５（Ａ）の桟３２の形状における折れ曲がり箇所の位置を中央部付近としたが、折れ曲がり箇所は、中央部付近に限定されず、下方に折り曲がっていれば、桟３２におけるどの位置であってもよい。
【００２３】
又、桟３２の形状は、折れ曲がり箇所を設けず、桟３２の一方の端部から他方の端部にかけて、スリット３１の幅方向において下方に傾斜する形状であってもよい。
又、図５（Ａ）の例では、桟３２の傾斜の起点を両端としたが、桟３２の両側の任意の位置を傾斜の起点とすることとしても良い。例えば、図６に示すように、桟３２の両端から、スリット３１の幅方向において、所定距離の範囲にある領域には、傾斜を設けず、所定距離を越えた地点から下方へ傾斜させ、桟３２の中央部付近でＶ字状に折れ曲がった形状とすることとしてもよい。
【００２４】
これにより、図５（Ａ）の形状に比べ、補強強度を高めることができる。
又、折れ曲がり箇所の数は、複数であってもよい。但し、充分な補強効果を得るためには、折れ曲がり箇所は、少ない方が望ましい。
（２）又、本実施の形態においては、図４（Ａ）の桟３２の形状において、上表面における切欠３３を1箇所としたが、複数個所であってもよい。但し、切欠３３の数を多くなると、桟３２の強度が弱くなるので、充分な補強効果を得るためには、切欠３３の数は、少ない方が望ましい。図４（Ｂ）の桟３２における切欠３３についても同様である。
【００２５】
又、図４（Ａ）の桟３２の形状において、切欠３３を有する箇所は、どちらの側面から圧縮力が加わった場合においても、下方に折れ曲がりやすくするため、桟３２の中央部付近が望ましいが、桟３２におけるどの位置であってもよい。図４（Ｂ）の桟３２における切欠３３についても同様である。
（３）又、本実施の形態においては、図４（Ｂ）の桟３２の形状において、切欠３３と３４の組み合わせは、1組としたが、当該組み合わせを複数組設けることとしてもよい。
（４）又、本実施の形態においては、上部ケース３に複数のスリット３１及び桟３２を有することとしたが、下部ケース１に複数のスリット３１及び桟３２を有することとしてもよいし、上部ケース３、下部ケース１の両方にスリット３１及び桟３２を有することとしてもよい。
【産業上の利用可能性】
【００２６】
本発明は、薄型収納容器を備えるパック電池に関し、特に、衝撃に起因する収納容器の外観の変形を防止する技術として利用できる。
【図面の簡単な説明】
【００２７】
【図１】本実施の形態に係るパック電池１００の分解斜視図を示す図である。
【図２】上部ケース３の上面を示す平面図である。
【図３】図２の平面図において、Ａ−Ａ’で示すＡ−Ａ’断面図を示す。
【図４】本実施の形態に係るパック電池１００に適用可能な、桟３２の形状のバリエーションの具体例を示す。
【図５】本実施の形態に係るパック電池１００に適用可能な、桟３２の形状のバリエーションの具体例を示す。
【図６】本実施の形態に係るパック電池１００に適用可能な、桟３２の形状のバリエーションの具体例を示す。
【符号の説明】
【００２８】
１          下部ケース
２          二次電池ユニット
３          上部ケース
４          プリント基板
５          被覆ラベル
２１        二次電池
２２        リード板
３１        スリット
３２        桟
３３、３４  切欠
４１        コネクタ
【図１】
2008130524.tif 000003
【図２】
2008130524.tif 000004
【図３】
2008130524.tif 000005
【図４】
2008130524.tif 000006
【図５】
2008130524.tif 000007
【図６】
2008130524.tif 000008